(57)【要約】【課題】  シール作業を省いて施工を簡略化できる独立構造体の提供。【解決手段】  一対の後柱１，１と垂木掛け２とを備え、外壁５から離して設けられるものであり、後柱１，１は、下端部を地中に埋め込んで立設してあり、垂木掛け２は、後柱１，１の上端部間に連結してある。【選択図】      図１
2018076739.tif 000002
【特許請求の範囲】
【請求項１】
一対の後柱と垂木掛けとを備え、外壁から離して設けられるものであり、後柱は、下端部を地中に埋め込んで立設してあり、垂木掛けは、後柱の上端部間に連結してあることを特徴とする独立構造体。
【請求項２】
次の工程を有することを特徴とする独立構造体の現地施工方法。
（イ）一対の後柱に垂木掛けを取付ける工程
（ロ）外壁から離して後柱を地面に立設する工程
（ハ）桁を取付けた一対の前柱を地面に立設する工程
（ニ）垂木掛けと桁間に垂木を架設して屋根を形成する工程
【発明の詳細な説明】
【技術分野】
【０００１】
本発明は、建物の外部に設置されるガーデンルーム等の独立構造体と、独立構造体の現地施工方法に関する。
【背景技術】
【０００２】
特許文献１には、一対の柱部材と、一対の柱部材の上端に接続される桁部材とからなる鳥居部材を、建物の外壁から離れた位置に設け、鳥居部材に固定してガーデンルーム等の増築構造物を設置することが記載されている。この場合、増築構造物の屋根部の外壁側の端部（垂木掛け）を鳥居部材の桁部材に全長にわたってシールする作業が必要であり、施工が煩雑になっていた。
【先行技術文献】
【特許文献】
【０００３】
【特許文献１】特許第５６０３９２０号公報
【発明の概要】
【発明が解決しようとする課題】
【０００４】
本発明は以上に述べた実情に鑑み、シール作業を省いて施工を簡略化できる独立構造体の提供、独立構造体の現地施工方法の提供を目的とする。
【課題を解決するための手段】
【０００５】
上記の課題を達成するために請求項１記載の発明による独立構造体は、一対の後柱と垂木掛けとを備え、外壁から離して設けられるものであり、後柱は、下端部を地中に埋め込んで立設してあり、垂木掛けは、後柱の上端部間に連結してあることを特徴とする。
【０００６】
請求項２記載の発明による独立構造体の現地施工方法は、次の工程を有することを特徴とする。
（イ）一対の後柱に垂木掛けを取付ける工程
（ロ）外壁から離して後柱を地面に立設する工程
（ハ）桁を取付けた一対の前柱を地面に立設する工程
（ニ）垂木掛けと桁間に垂木を架設して屋根を形成する工程
なお、上記（イ）、（ロ）、（ハ）、（ニ）の工程は、必ずしもこの順番で行わなくてもよい。
【発明の効果】
【０００７】
請求項１記載の発明による独立構造材は、垂木掛けを一対の後柱の上端部間に連結して設けたので、垂木掛けのシール作業が不要となり、施工を簡略化できる。
【０００８】
請求項２記載の発明による独立構造体の現地施工方法は、一対の後柱に垂木掛けを取付ける工程と、後柱を外壁から離して地面に立設する工程と、桁を取付けた一対の前柱を地面に立設する工程と、垂木掛けと桁間に垂木を架設して屋根を形成する工程を有することで、垂木掛けのシール作業が不要となり、施工を簡略化できる。
【図面の簡単な説明】
【０００９】
【図１】本発明の一実施形態に係る独立構造体の縦断面図である。
【図２】同独立構造体の外壁側の上部を拡大して示す縦断面図である。
【図３】同独立構造体の側面図である。
【図４】図３のＡ−Ａ断面図である。
【図５】図３のＢ−Ｂ断面図である。
【図６】同独立構造体の斜視図である。
【図７−１】同独立構造体の施工手順を示す斜視図である。
【図７−２】同独立構造体の施工手順（図７−１の続き）を示す斜視図である。
【図８】本発明の独立構造体の他の実施形態を示す縦断面図であって、下横材を地面上に設置した場合を示す。
【図９】本発明の独立構造体の他の実施形態を示す縦断面図であって、下横材を地面と床面との間に設置した場合を示す。
【図１０】本発明の独立構造体の他の実施形態を示す縦断面図であって、カバー材を外壁に孔をあけずに設置する場合を示す。
【図１１】本発明の独立構造体の他の実施形態を示す横断面図であって、カバー材を外壁に孔をあけずに設置する場合を示す。
【発明を実施するための形態】
【００１０】
以下、本発明の実施の形態を図面に基づいて説明する。図１〜６は、本発明の独立構造体の一実施形態を示している。本独立構造体は、住宅等の建物の外部に設置されるガーデンルームに適用したものであり、図１，５に示すように、建物の外壁５に沿って、且つ外壁５から離して設置してあり、外壁５に取付けたカバー材９により外壁５との隙間を塞いである。外壁５には掃出し窓１０が取付けてあって、建物内からガーデンルームへと出入りできるようになっている。
【００１１】
本独立構造体は、図６に示すように、一対の後柱１，１と、一対の後柱１，１の上部を連結する上横材（垂木掛け）２と、一対の後柱１，１の下部を連結する下横材３と、一対の後柱１，１の下部に取付けた根太掛け１５と、一対の前柱６，６と、一対の前柱６，６の上部を連結する桁７と、一対の前柱６，６の下部を連結する前桁１１と、前柱６，６と後柱１，１の上部に架設した腕木１２，１２と、前柱６，６と後柱１，１の下部に架設した妻桁１３，１３を備える。上横材２と桁７との間には、図１，６に示すように、複数の垂木８，８，…を左右方向に間隔をおいて取付け、垂木８，８，…に支持して屋根パネル１４を取付けて、屋根４を構成してある。また、前桁６と根太掛け１５との間には、複数の根太７１，７１，…を左右方向に間隔をおいて取付け、根太７１，７１，…に支持して床材１６を取付けて、床部１７を構成してある。一対の前柱６，６と桁７と前桁１１とで構成される前面開口部１８には、折畳み戸等の建具（図示省略）が取付けられる。前柱６と後柱１と腕木１２と妻桁１３とで構成される側面開口部１９にも、折畳み戸等の建具（図示省略）が取付けられる。妻垂木８と腕木１２と後柱１とで構成される三角形の開口部には、屋根側面パネル２０が嵌め殺し状に取付けられる。
【００１２】
後柱１は、図５に示すように、正方形断面の柱本体部２１と、柱本体部２１の前面に位置する矩形断面の突部２２を、押出成形により一体成形したものである。突部２２は、建具や側面パネルを取付ける際のベースとなるものであり、突部２２に補助部材２３を介して建具や側面パネルを取付けている。なお、突部２２に直接建具や側面パネルを取付けることもできる。
後柱１は、図１に示すように、地面Ｇにあけた穴２４に下端部を挿入し、まわりをコンクリート２５で固めてしっかりと自立させてある。下横材３は、図１に示すように、一対の後柱１，１の下端部の対向面に金具２６で取付けてあり、下横材３も後柱１，１の下端部と共に地中に埋め込んである。下横材３は、一対の後柱１，１間の寸法出しを容易にするため、後柱１，１を地面に埋め込んで固定する前に、後柱１，１にあらかじめ取付けられる。さらに一対の後柱１，１間には、根太掛け受け２７が取付けてあり、根太掛け受け２７に根太掛け１５を取付けてある。
【００１３】
上横材２は、一対の後柱１，１の上端に金具２８で連結してある。上横材２は、図２に示すように、上面に前側に向かって下り勾配で傾斜した傾斜面２９を有し、傾斜面２９の後側にタイト材取付部３０を有し、タイト材取付部３０にタイト材３１が取付けてある。タイト材３１は軟質のヒレ状で、中間部で後側に屈曲しており、先端部が後述するカバー材９（横部材４４）の下面に当接している。
上横材２は、前面に垂木掛け部３２を一体に有している。すなわち上横材２は、垂木掛けを兼ねるものとなっている。垂木掛け部３２には、垂木８，８，…の後端部を引っ掛け、ねじ３３で固定してある。また垂木掛け部３２には、屋根パネル１４の後端部が差し込まれて屋根パネル１４を保持する屋根パネル保持部３４を有している。上横材２の左右両端部には、図４に示すように、蓋３５を取付けて小口を塞いである。
【００１４】
桁７は、図１に示すように、一対の前柱６，６の上端に金具３６で連結してある。桁７は、後側の面に垂木８，８，…及び腕木１２が、それぞれ金具３７，３８で連結されている。桁７は、前部に雨樋３９が一体に形成してあり、雨樋３９の後方に屋根パネル１４の前縁部を押えるパネル押え４０が取付けてある。
一対の前柱６，６は、後柱１，１と同様に、地面Ｇにあけた穴４１に下端部を挿入し、まわりをコンクリート４２で固めて自立させてある。
【００１５】
カバー材９は、図６に示すように、一対の縦部材４３，４３と横部材４４とを備える。縦部材４３は、図５に示すように、アルミ押出形材よりなる外壁側部材４５及び柱側部材４６と、これら二部材を繋ぐゴム製の繋ぎ材４７とで構成してある。外壁側部材４５は、前方及び後方に突出する複数の突片を有する長尺部材であり、外壁５に孔をあけて埋め込んだアンカー４８にねじ４９で取付けてある。外壁側部材４５は、前面の外周側に繋ぎ材嵌め込み溝５０を有している。外壁側部材４５の後面の外周側にはシールポケット５１が形成してあり、シールポケット５１にシール材５２を充填して外壁５との間をシールしてある。柱側部材４６は外壁側部材４５と同一の形材を用いており、後柱１の側面の後部にねじ５３で取付けてある。繋ぎ材４７は、中間部で屈曲した板状となっており、一端部と他端部とに形成した差込部５４，５４を外壁側部材４５と柱側部材４６の繋ぎ材嵌め込み溝５０にそれぞれ差込んで取付けてある。繋ぎ材４７は変形自在なため、外壁５と後柱１間の変位や誤差を吸収可能であり、且つ外壁５と後柱１の間からの雨水の浸入を阻止できる。縦部材４３は、図４に示すように、下端が地面Ｇに当接し、上端が横部材４４の下面に当接している。このようにカバー材９は、縦部材４３の下端を地面Ｇに当接し、横部材４４を縦部材４３上に載置することで、高さ方向の位置決めができ、手を離しても下に下がることがないので、取付け作業がしやすく、且つ安定して取付けできる。
【００１６】
横部材４４は、アルミ製の中空押出形材よりなり、図２に示すように、外壁５から庇のように屋外側にのびており、上横材２の上面に間隔をおいて重なっている。横部材４４は、垂直な後壁５５と、前方に向かって下り勾配で傾斜した上面壁５６と、水平な下面壁５７を有しており、後壁５５を外壁５に当接し、外壁５に埋め込んだアンカー５８にねじ５９で取付けてある。後壁５５の上端部にはシールポケット６０が形成してあり、シールポケット６０にシール材６１を充填して外壁５との間をシールしてある。横部材４４の下面壁５７と上横材２の上面との間の隙間は、屈曲状態で設けたタイト材３１によって塞がれており、横部材４４と上横材２との間の見込み方向や上下方向の変位や誤差をタイト材３１によって吸収できるようになっている。また、横部材４４の前端部下面側には水切り片６２を有し、横部材４４の下面側に雨水が回り込むのを防いでいる。横部材４４の両端部は、図４に示すように、上横材２よりも側方に張り出しており、張り出した部分の水平な下面壁５７に縦部材４３の上端を当接させている。また、横部材４４の両端部には蓋６３を取付けて小口を塞いである。
【００１７】
次に、本独立構造体の施工手順を説明する。まず、図７−１（ａ）に示すように、一対の後柱１，１の上端部に上横材２を、下端部に下横材３をそれぞれ連結し、後柱１，１の下端部及び下横材３を地面に埋め込んで立設する。このように、後柱１，１の下端部を下横材３で連結した状態で地中に埋め込むことで、後柱１，１の下部が外側に広がったり内側に狭まったりすることがなく、後柱１，１間の寸法が正確に出せる。次に、図７−１（ｂ）に示すように、一対の前柱６，６の上端部に桁７を、下部に前桁１１をそれぞれ連結し、前柱６，６の下端部を地面に埋め込んで立設し、図７−１（ｃ）の状態とする。次に、図７−２（ｄ）に示すように、前柱６と後柱１間に腕木１２及び妻桁１３を取付ける。次に、図７−２（ｅ）に示すように、上横材２と桁７間に垂木８，８，…を架設する。その後、図７−２（ｆ）に示すように、垂木８，８，…上に屋根パネル１４を取付ける。その後、床材１６、屋根側面パネル２０、建具を取付ける。その後、カバー材９を取付けて外壁５との隙間を塞ぐ。
【００１８】
図８は、本発明の独立構造体の他の実施形態を示している。本実施形態では、一対の後柱１，１の下部を連結する下横材３を、地面Ｇ上に設けている。本実施形態においても、下横材３は、一対の後柱１，１間の寸法出しを容易にするため、後柱１，１を地面Ｇに埋め込んで固定する前に、後柱１，１にあらかじめ取付けられる。本実施形態によれば、下横材３を地面Ｇに埋め込まないことで、地面Ｇに掘る穴２４を小さくできる。下横材３は、床材１６に隠れて見えないので、邪魔にならない。
【００１９】
図９は、本発明の独立構造体の他の実施形態を示している。本実施形態では、一対の後柱１，１の下部を連結する下横材３を、地面Ｇと床面Ｆとの間に設けている。本実施形態においても、下横材３は、一対の後柱１，１間の寸法出しを容易にするため、後柱１，１を地面Ｇに埋め込んで固定する前に、後柱１，１にあらかじめ取付けられる。この場合も、下横材３を地面Ｇに埋め込まないので、地面Ｇに掘る穴２４を小さくできる。また下横材３は、床材１６に隠れて見えないので、邪魔にならない。
【００２０】
以上に述べたように本独立構造体は、一対の後柱１，１の下部を下横材３で連結してあるので、後柱１，１間の寸法出しが容易である。下横材３は、地中に埋め込んであるか、又は床面Ｆと地面Ｇとの間に設けてあるため、地面Ｇや床材１６で隠れるので、邪魔にならない。
【００２１】
また、本独立構造体は、上横材２に垂木掛け部３２を一体に設け、これを一対の後柱１，１の上端部間に連結して設けたので、垂木掛けのシール作業が不要となり、施工を簡略化できる。上横材２とは別に垂木掛けを設ける必要がないので、部品数を削減できると共に、垂木掛けを別途取付ける手間が省けるので、組立工数も削減できる。さらに本独立構造体は、後柱１，１に建具や側面パネルを取付けるためのベースとなる突部２２（従来の壁付けタイプの簡易建物における躯体方立に相当するもの）を一体に設けたので、躯体方立のシール作業及び取付作業も不要である。
本独立構造体の現地施工方法は、一対の後柱１，１に垂木掛け（上横材）２を取付ける工程と、後柱１，１を外壁５から離して地面Ｇに立設する工程と、桁７を取付けた一対の前柱６，６を地面Ｇに立設する工程と、垂木掛け２と桁７間に垂木８，８，…を架設して屋根４を形成する工程を有することで、垂木掛けのシール作業が不要となり、施工を簡略化できる。
【００２２】
図１０，１１は、本発明の独立構造体の他の実施形態であって、外壁５に孔を開けることなくカバー材９を取付けできるようにしたものである。カバー材９の横部材４４は、図１０に示すように、上横材２の上面にねじ６４で取付けられる取付材６５と、取付材６５の後面に形成した溝６６に嵌合取付けした隙間塞ぎ材６７ａ，６７ｂとで構成してある。隙間塞ぎ材６７ａ，６７ｂは、ゴムで蛇腹状に形成してあり、前後方向に伸縮自在なものとなっており、外壁５と取付材６５との隙間に圧縮した状態で保持され、外壁５側の端部が外壁５に当接している。さらに、隙間塞ぎ材６７ａ，６７ｂの外壁側端部には、軟質のヒレ片６８が外壁５側に向けて傾斜して設けられ、当該ヒレ片６８が変形して外壁５に接することで、雨水の浸入を防止している。カバー材９の縦部材４３も、図１１に示すように、後柱１の側面にねじ６９で取付けられる取付材７０と、取付材７０に取付けたゴム製の蛇腹状の隙間塞ぎ材７２とで構成してある。
【００２３】
本実施形態によれば、外壁５に全く孔を開ける必要がないので、建物の躯体内に雨水が浸入するおそれがない。また、外壁に孔を開けた場合には、ハウスメーカーによる新築住宅に対する１０年間の保証が無効になるおそれがあるが、本独立構造体は外壁５に孔を開けないで設置できるので、ハウスメーカーによる住宅に対する保障が無効になることがなく、ハウスメーカーと建材メーカーの保証の棲み分けが明確にできる。
【００２４】
本発明は以上に述べた実施形態に限定されない。突部を後柱と別体で設け、突部を後柱にねじで取付けたものであってもよい。上横材（垂木掛け）は、一対の後柱を地面に立設した後で取付けることもできる。一対の後柱の下部を連結する下横材は、無くてもよい。床の部分の仕様は任意であり、例えば土間やウッドデッキになっているものであってもよい。外壁に孔を開けないでカバー材を取付ける実施形態（図１０，１１）においては、隙間塞ぎ材が外壁に当接して設けてあればよく、隙間塞ぎ材の形状は蛇腹状のものに限らず、適宜変更することができる。本独立構造体は、ガーデンルームに限らず、あらゆる簡易建物に適用することができ、例えばサンルームや、側面や前面が開放したテラスやパーゴラ等とすることもできる。
【符号の説明】
【００２５】
１  後柱（柱）
２  上横材（垂木掛け）
３  下横材
４  屋根
５  外壁
６  前柱
７  桁
８  垂木
【図１】
2018076739.tif 000003
【図２】
2018076739.tif 000004
【図３】
2018076739.tif 000005
【図４】
2018076739.tif 000006
【図５】
2018076739.tif 000007
【図６】
2018076739.tif 000008
【図７−１】
2018076739.tif 000009
【図７−２】
2018076739.tif 000010
【図８】
2018076739.tif 000011
【図９】
2018076739.tif 000012
【図１０】
2018076739.tif 000013
【図１１】
2018076739.tif 000014
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
建物の外壁に沿って、且つ外壁から離して設置するものであって、一対の後柱と上横材と垂木と屋根パネルとを備え、後柱は、下端部を地中に埋め込んで立設してあり、上横材は、後柱の上端部間に連結してあり、垂木掛け部を一体に有しており、垂木と屋根パネルは、後側を垂木掛け部に取付けてあることを特徴とする独立構造体。
【請求項２】
次の工程を有することを特徴とする建物の外壁に沿って、且つ外壁から離して設置する独立構造体の現地施工方法。
（イ）一対の後柱に垂木掛け部を一体に有する上横材を取付ける工程
（ロ）建物の外壁から離して後柱を地面に立設する工程
（ハ）桁を取付けた一対の前柱を地面に立設する工程
（ニ）上横材の垂木掛け部と桁間に垂木を架設して屋根を形成する工程
【手続補正２】
【補正対象書類名】明細書
【補正対象項目名】全文
【補正方法】変更
【補正の内容】
【発明の詳細な説明】
【技術分野】
【０００１】
本発明は、建物の外部に設置されるガーデンルーム等の独立構造体と、独立構造体の現地施工方法に関する。
【背景技術】
【０００２】
特許文献１には、一対の柱部材と、一対の柱部材の上端に接続される桁部材とからなる鳥居部材を、建物の外壁から離れた位置に設け、鳥居部材に固定してガーデンルーム等の増築構造物を設置することが記載されている。この場合、増築構造物の屋根部の外壁側の端部（垂木掛け）を鳥居部材の桁部材に全長にわたってシールする作業が必要であり、施工が煩雑になっていた。
【先行技術文献】
【特許文献】
【０００３】
【特許文献１】特許第５６０３９２０号公報
【発明の概要】
【発明が解決しようとする課題】
【０００４】
本発明は以上に述べた実情に鑑み、シール作業を省いて施工を簡略化できる独立構造体の提供、独立構造体の現地施工方法の提供を目的とする。
【課題を解決するための手段】
【０００５】
上記の課題を達成するために請求項１記載の発明による独立構造体は、建物の外壁に沿って、且つ外壁から離して設置するものであって、一対の後柱と上横材と垂木と屋根パネルとを備え、後柱は、下端部を地中に埋め込んで立設してあり、上横材は、後柱の上端部間に連結してあり、垂木掛け部を一体に有しており、垂木と屋根パネルは、後側を垂木掛け部に取付けてあることを特徴とする。
【０００６】
請求項２記載の発明による独立構造体の現地施工方法は、建物の外壁に沿って、且つ外壁から離して設置するものであって、次の工程を有することを特徴とする。
（イ）一対の後柱に垂木掛け部を一体に有する上横材を取付ける工程
（ロ）建物の外壁から離して後柱を地面に立設する工程
（ハ）桁を取付けた一対の前柱を地面に立設する工程
（ニ）上横材の垂木掛け部と桁間に垂木を架設して屋根を形成する工程
なお、上記（イ）、（ロ）、（ハ）、（ニ）の工程は、必ずしもこの順番で行わなくてもよい。
【発明の効果】
【０００７】
請求項１記載の発明による独立構造材は、上横材に垂木掛け部を一体に有しているので、垂木掛けのシール作業が不要となり、施工を簡略化できる。
【０００８】
請求項２記載の発明による独立構造体の現地施工方法は、一対の後柱に垂木掛け部を一体に有する上横材を取付ける工程と、後柱を建物の外壁から離して地面に立設する工程と、桁を取付けた一対の前柱を地面に立設する工程と、上横材の垂木掛け部と桁間に垂木を架設して屋根を形成する工程を有することで、垂木掛けのシール作業が不要となり、施工を簡略化できる。
【図面の簡単な説明】
【０００９】
【図１】本発明の一実施形態に係る独立構造体の縦断面図である。
【図２】同独立構造体の外壁側の上部を拡大して示す縦断面図である。
【図３】同独立構造体の側面図である。
【図４】図３のＡ−Ａ断面図である。
【図５】図３のＢ−Ｂ断面図である。
【図６】同独立構造体の斜視図である。
【図７−１】同独立構造体の施工手順を示す斜視図である。
【図７−２】同独立構造体の施工手順（図７−１の続き）を示す斜視図である。
【図８】本発明の独立構造体の他の実施形態を示す縦断面図であって、下横材を地面上に設置した場合を示す。
【図９】本発明の独立構造体の他の実施形態を示す縦断面図であって、下横材を地面と床面との間に設置した場合を示す。
【図１０】本発明の独立構造体の他の実施形態を示す縦断面図であって、カバー材を外壁に孔をあけずに設置する場合を示す。
【図１１】本発明の独立構造体の他の実施形態を示す横断面図であって、カバー材を外壁に孔をあけずに設置する場合を示す。
【発明を実施するための形態】
【００１０】
以下、本発明の実施の形態を図面に基づいて説明する。図１〜６は、本発明の独立構造体の一実施形態を示している。本独立構造体は、住宅等の建物の外部に設置されるガーデンルームに適用したものであり、図１，５に示すように、建物の外壁５に沿って、且つ外壁５から離して設置してあり、外壁５に取付けたカバー材９により外壁５との隙間を塞いである。外壁５には掃出し窓１０が取付けてあって、建物内からガーデンルームへと出入りできるようになっている。
【００１１】
本独立構造体は、図６に示すように、一対の後柱１，１と、一対の後柱１，１の上部を連結する上横材（垂木掛け）２と、一対の後柱１，１の下部を連結する下横材３と、一対の後柱１，１の下部に取付けた根太掛け１５と、一対の前柱６，６と、一対の前柱６，６の上部を連結する桁７と、一対の前柱６，６の下部を連結する前桁１１と、前柱６，６と後柱１，１の上部に架設した腕木１２，１２と、前柱６，６と後柱１，１の下部に架設した妻桁１３，１３を備える。上横材２と桁７との間には、図１，６に示すように、複数の垂木８，８，…を左右方向に間隔をおいて取付け、垂木８，８，…に支持して屋根パネル１４を取付けて、屋根４を構成してある。また、前桁６と根太掛け１５との間には、複数の根太７１，７１，…を左右方向に間隔をおいて取付け、根太７１，７１，…に支持して床材１６を取付けて、床部１７を構成してある。一対の前柱６，６と桁７と前桁１１とで構成される前面開口部１８には、折畳み戸等の建具（図示省略）が取付けられる。前柱６と後柱１と腕木１２と妻桁１３とで構成される側面開口部１９にも、折畳み戸等の建具（図示省略）が取付けられる。妻垂木８と腕木１２と後柱１とで構成される三角形の開口部には、屋根側面パネル２０が嵌め殺し状に取付けられる。
【００１２】
後柱１は、図５に示すように、正方形断面の柱本体部２１と、柱本体部２１の前面に位置する矩形断面の突部２２を、押出成形により一体成形したものである。突部２２は、建具や側面パネルを取付ける際のベースとなるものであり、突部２２に補助部材２３を介して建具や側面パネルを取付けている。なお、突部２２に直接建具や側面パネルを取付けることもできる。
後柱１は、図１に示すように、地面Ｇにあけた穴２４に下端部を挿入し、まわりをコンクリート２５で固めてしっかりと自立させてある。下横材３は、図１に示すように、一対の後柱１，１の下端部の対向面に金具２６で取付けてあり、下横材３も後柱１，１の下端部と共に地中に埋め込んである。下横材３は、一対の後柱１，１間の寸法出しを容易にするため、後柱１，１を地面に埋め込んで固定する前に、後柱１，１にあらかじめ取付けられる。さらに一対の後柱１，１間には、根太掛け受け２７が取付けてあり、根太掛け受け２７に根太掛け１５を取付けてある。
【００１３】
上横材２は、一対の後柱１，１の上端に金具２８で連結してある。上横材２は、図２に示すように、上面に前側に向かって下り勾配で傾斜した傾斜面２９を有し、傾斜面２９の後側にタイト材取付部３０を有し、タイト材取付部３０にタイト材３１が取付けてある。タイト材３１は軟質のヒレ状で、中間部で後側に屈曲しており、先端部が後述するカバー材９（横部材４４）の下面に当接している。
上横材２は、前面に垂木掛け部３２を一体に有している。すなわち上横材２は、垂木掛けを兼ねるものとなっている。垂木掛け部３２には、垂木８，８，…の後端部を引っ掛け、ねじ３３で固定してある。また垂木掛け部３２には、屋根パネル１４の後端部が差し込まれて屋根パネル１４を保持する屋根パネル保持部３４を有している。上横材２の左右両端部には、図４に示すように、蓋３５を取付けて小口を塞いである。
【００１４】
桁７は、図１に示すように、一対の前柱６，６の上端に金具３６で連結してある。桁７は、後側の面に垂木８，８，…及び腕木１２が、それぞれ金具３７，３８で連結されている。桁７は、前部に雨樋３９が一体に形成してあり、雨樋３９の後方に屋根パネル１４の前縁部を押えるパネル押え４０が取付けてある。
一対の前柱６，６は、後柱１，１と同様に、地面Ｇにあけた穴４１に下端部を挿入し、まわりをコンクリート４２で固めて自立させてある。
【００１５】
カバー材９は、図６に示すように、一対の縦部材４３，４３と横部材４４とを備える。縦部材４３は、図５に示すように、アルミ押出形材よりなる外壁側部材４５及び柱側部材４６と、これら二部材を繋ぐゴム製の繋ぎ材４７とで構成してある。外壁側部材４５は、前方及び後方に突出する複数の突片を有する長尺部材であり、外壁５に孔をあけて埋め込んだアンカー４８にねじ４９で取付けてある。外壁側部材４５は、前面の外周側に繋ぎ材嵌め込み溝５０を有している。外壁側部材４５の後面の外周側にはシールポケット５１が形成してあり、シールポケット５１にシール材５２を充填して外壁５との間をシールしてある。柱側部材４６は外壁側部材４５と同一の形材を用いており、後柱１の側面の後部にねじ５３で取付けてある。繋ぎ材４７は、中間部で屈曲した板状となっており、一端部と他端部とに形成した差込部５４，５４を外壁側部材４５と柱側部材４６の繋ぎ材嵌め込み溝５０にそれぞれ差込んで取付けてある。繋ぎ材４７は変形自在なため、外壁５と後柱１間の変位や誤差を吸収可能であり、且つ外壁５と後柱１の間からの雨水の浸入を阻止できる。縦部材４３は、図４に示すように、下端が地面Ｇに当接し、上端が横部材４４の下面に当接している。このようにカバー材９は、縦部材４３の下端を地面Ｇに当接し、横部材４４を縦部材４３上に載置することで、高さ方向の位置決めができ、手を離しても下に下がることがないので、取付け作業がしやすく、且つ安定して取付けできる。
【００１６】
横部材４４は、アルミ製の中空押出形材よりなり、図２に示すように、外壁５から庇のように屋外側にのびており、上横材２の上面に間隔をおいて重なっている。横部材４４は、垂直な後壁５５と、前方に向かって下り勾配で傾斜した上面壁５６と、水平な下面壁５７を有しており、後壁５５を外壁５に当接し、外壁５に埋め込んだアンカー５８にねじ５９で取付けてある。後壁５５の上端部にはシールポケット６０が形成してあり、シールポケット６０にシール材６１を充填して外壁５との間をシールしてある。横部材４４の下面壁５７と上横材２の上面との間の隙間は、屈曲状態で設けたタイト材３１によって塞がれており、横部材４４と上横材２との間の見込み方向や上下方向の変位や誤差をタイト材３１によって吸収できるようになっている。また、横部材４４の前端部下面側には水切り片６２を有し、横部材４４の下面側に雨水が回り込むのを防いでいる。横部材４４の両端部は、図４に示すように、上横材２よりも側方に張り出しており、張り出した部分の水平な下面壁５７に縦部材４３の上端を当接させている。また、横部材４４の両端部には蓋６３を取付けて小口を塞いである。
【００１７】
次に、本独立構造体の施工手順を説明する。まず、図７−１（ａ）に示すように、一対の後柱１，１の上端部に上横材２を、下端部に下横材３をそれぞれ連結し、後柱１，１の下端部及び下横材３を地面に埋め込んで立設する。このように、後柱１，１の下端部を下横材３で連結した状態で地中に埋め込むことで、後柱１，１の下部が外側に広がったり内側に狭まったりすることがなく、後柱１，１間の寸法が正確に出せる。次に、図７−１（ｂ）に示すように、一対の前柱６，６の上端部に桁７を、下部に前桁１１をそれぞれ連結し、前柱６，６の下端部を地面に埋め込んで立設し、図７−１（ｃ）の状態とする。次に、図７−２（ｄ）に示すように、前柱６と後柱１間に腕木１２及び妻桁１３を取付ける。次に、図７−２（ｅ）に示すように、上横材２と桁７間に垂木８，８，…を架設する。その後、図７−２（ｆ）に示すように、垂木８，８，…上に屋根パネル１４を取付ける。その後、床材１６、屋根側面パネル２０、建具を取付ける。その後、カバー材９を取付けて外壁５との隙間を塞ぐ。
【００１８】
図８は、本発明の独立構造体の他の実施形態を示している。本実施形態では、一対の後柱１，１の下部を連結する下横材３を、地面Ｇ上に設けている。本実施形態においても、下横材３は、一対の後柱１，１間の寸法出しを容易にするため、後柱１，１を地面Ｇに埋め込んで固定する前に、後柱１，１にあらかじめ取付けられる。本実施形態によれば、下横材３を地面Ｇに埋め込まないことで、地面Ｇに掘る穴２４を小さくできる。下横材３は、床材１６に隠れて見えないので、邪魔にならない。
【００１９】
図９は、本発明の独立構造体の他の実施形態を示している。本実施形態では、一対の後柱１，１の下部を連結する下横材３を、地面Ｇと床面Ｆとの間に設けている。本実施形態においても、下横材３は、一対の後柱１，１間の寸法出しを容易にするため、後柱１，１を地面Ｇに埋め込んで固定する前に、後柱１，１にあらかじめ取付けられる。この場合も、下横材３を地面Ｇに埋め込まないので、地面Ｇに掘る穴２４を小さくできる。また下横材３は、床材１６に隠れて見えないので、邪魔にならない。
【００２０】
以上に述べたように本独立構造体は、一対の後柱１，１の下部を下横材３で連結してあるので、後柱１，１間の寸法出しが容易である。下横材３は、地中に埋め込んであるか、又は床面Ｆと地面Ｇとの間に設けてあるため、地面Ｇや床材１６で隠れるので、邪魔にならない。
【００２１】
また、本独立構造体は、上横材２に垂木掛け部３２を一体に設け、これを一対の後柱１，１の上端部間に連結して設けたので、垂木掛けのシール作業が不要となり、施工を簡略化できる。上横材２とは別に垂木掛けを設ける必要がないので、部品数を削減できると共に、垂木掛けを別途取付ける手間が省けるので、組立工数も削減できる。さらに本独立構造体は、後柱１，１に建具や側面パネルを取付けるためのベースとなる突部２２（従来の壁付けタイプの簡易建物における躯体方立に相当するもの）を一体に設けたので、躯体方立のシール作業及び取付作業も不要である。
本独立構造体の現地施工方法は、一対の後柱１，１に垂木掛け（上横材）２を取付ける工程と、後柱１，１を外壁５から離して地面Ｇに立設する工程と、桁７を取付けた一対の前柱６，６を地面Ｇに立設する工程と、垂木掛け２と桁７間に垂木８，８，…を架設して屋根４を形成する工程を有することで、垂木掛けのシール作業が不要となり、施工を簡略化できる。
【００２２】
図１０，１１は、本発明の独立構造体の他の実施形態であって、外壁５に孔を開けることなくカバー材９を取付けできるようにしたものである。カバー材９の横部材４４は、図１０に示すように、上横材２の上面にねじ６４で取付けられる取付材６５と、取付材６５の後面に形成した溝６６に嵌合取付けした隙間塞ぎ材６７ａ，６７ｂとで構成してある。隙間塞ぎ材６７ａ，６７ｂは、ゴムで蛇腹状に形成してあり、前後方向に伸縮自在なものとなっており、外壁５と取付材６５との隙間に圧縮した状態で保持され、外壁５側の端部が外壁５に当接している。さらに、隙間塞ぎ材６７ａ，６７ｂの外壁側端部には、軟質のヒレ片６８が外壁５側に向けて傾斜して設けられ、当該ヒレ片６８が変形して外壁５に接することで、雨水の浸入を防止している。カバー材９の縦部材４３も、図１１に示すように、後柱１の側面にねじ６９で取付けられる取付材７０と、取付材７０に取付けたゴム製の蛇腹状の隙間塞ぎ材７２とで構成してある。
【００２３】
本実施形態によれば、外壁５に全く孔を開ける必要がないので、建物の躯体内に雨水が浸入するおそれがない。また、外壁に孔を開けた場合には、ハウスメーカーによる新築住宅に対する１０年間の保証が無効になるおそれがあるが、本独立構造体は外壁５に孔を開けないで設置できるので、ハウスメーカーによる住宅に対する保障が無効になることがなく、ハウスメーカーと建材メーカーの保証の棲み分けが明確にできる。
【００２４】
本発明は以上に述べた実施形態に限定されない。突部を後柱と別体で設け、突部を後柱にねじで取付けたものであってもよい。上横材（垂木掛け）は、一対の後柱を地面に立設した後で取付けることもできる。一対の後柱の下部を連結する下横材は、無くてもよい。床の部分の仕様は任意であり、例えば土間やウッドデッキになっているものであってもよい。外壁に孔を開けないでカバー材を取付ける実施形態（図１０，１１）においては、隙間塞ぎ材が外壁に当接して設けてあればよく、隙間塞ぎ材の形状は蛇腹状のものに限らず、適宜変更することができる。本独立構造体は、ガーデンルームに限らず、あらゆる簡易建物に適用することができ、例えばサンルームや、側面や前面が開放したテラスやパーゴラ等とすることもできる。
【符号の説明】
【００２５】
１  後柱（柱）
２  上横材（垂木掛け）
３  下横材
４  屋根
５  外壁
６  前柱
７  桁
８  垂木